(57)【要約】【課題】撮影部位の変更にともなうＸ線条件などの撮影条件の変更忘れを防止して常に適切な撮影条件で撮影ができるＸ線撮影装置を提供する。【解決手段】制御部１１は、現在設定されているＸ線検出器５とＸ線管１の高さＨおよびＳＩＤを、高さセンサ３ｈ、２ｈおよび距離センサ２ｌで確認し、保存しているデータベースを検索して、前記高さＨおよびＳＩＤがオーダーされ今回撮影する撮影部位に適合しているかチェックする。適合していない場合でかつオーダーされた撮影部位の順番を変更しない場合は、今回撮影する撮影部位用に設定されていない撮影条件を表示部１３にリストアップし、警告表示する。【選択図】          図１
2011004830.tif 000002
【特許請求の範囲】
【請求項１】
被検者にＸ線を曝射するＸ線管と、前記Ｘ線管を保持するＸ線管保持部と、前記被検者を透過したＸ線を画像化するＸ線検出器と、前記Ｘ線検出器を保持する検出器保持部と、前記各構成要素を制御する制御部で構成されるＸ線撮影装置において、前記各構成要素の位置の変更にともなう撮影条件の変更の有無を検知する検知手段と、前記撮影条件の変更が検知されないとき警告を表示する警告表示手段を備えたことを特徴とするＸ線撮影装置。
【請求項２】
前記各構成要素の位置の変更が前記検出器保持部に保持される前記Ｘ線検出器の位置の変更であることを特徴とする請求項１記載のＸ線撮影装置。
【請求項３】
前記各構成要素の位置の変更が前記Ｘ線管保持部に保持される前記Ｘ線管の位置の変更であることを特徴とする請求項１記載のＸ線撮影装置。
【請求項４】
前記各構成要素の位置の変更がＳＩＤの変更であることを特徴とする請求項１記載のＸ線撮影装置。
【請求項５】
被検者にＸ線を曝射するＸ線管と、前記Ｘ線管を保持するＸ線管保持部と、前記被検者を透過したＸ線を画像化するＸ線検出器と、前記Ｘ線検出器を保持する検出器保持部と、撮影部位のオーダーを受信する受信手段とを有するＸ線撮影装置において、前記各構成要素の位置と撮影部位の関係を示すデータベースと、撮影部位と撮影条件の関係を示すプログラムと、前記データベースとプログラムを検索し現在の各構成要素の位置と撮影条件が適合していない場合警告を表示する警告表示手段を備えたことを特徴とするＸ線撮影装置。
【請求項６】
前記各構成要素の位置が前記Ｘ線検出器の位置であることを特徴とする請求項５記載のＸ線撮影装置。
【請求項７】
前記各構成要素の位置が前記Ｘ線管の位置であることを特徴とする請求項５記載のＸ線撮影装置。
【請求項８】
前記各構成要素の位置がＳＩＤであることを特徴とする請求項５記載のＸ線撮影装置。
【発明の詳細な説明】
【技術分野】
【０００１】
本発明は、Ｘ線撮影装置に関し、特に不適切な撮影条件でＸ線撮影することを防止する技術に関する。
【背景技術】
【０００２】
この種のＸ線撮影装置は、被検者にＸ線を曝射するＸ線管と、前記Ｘ線管を水平方向および鉛直方向に移動可能に天井走行式で吊設保持するＸ線管保持部と、被検者を透過したＸ線を画像化するＸ線フィルムを内蔵したカセッテまたは可搬型ＦＰＤなどで構成されるＸ線検出器と、前記Ｘ線検出器を着脱可能に保持し指定された撮影術式に対応して選択使用される立位撮影台および臥位撮影台と、前記各構成要素を制御する制御卓で構成される。
【０００３】
従来、病院でＸ線撮影を行う場合、Ｘ線検出器を、撮影目的によって、立位撮影台（立位スタンド）または臥位撮影台（天板を備えた寝台）にセットし、Ｘ線検出器がセットされた撮影台に被検者を載置し、制御卓の操作盤より撮影術式を入力することによりＸ線管が撮影術式に適した位置に移動し、撮影開始操作をする。
【０００４】
例えば立位スタンドで胸部撮影が完了し、引続き立位スタンドで腹部撮影を行う場合、術者は立位スタンドのＸ線検出器を下げて被検者の腹部に位置合わせをし、対向するＸ線管の高さもＸ線検出器に合わせて下げ、Ｘ線条件やＳＩＤなどの撮影条件を変更してから撮影を行う。
【０００５】
また、オーダーされた撮影部位がある場合は、術者はオーダーされた撮影部位に対応したＸ線検出器の高さ、Ｘ線管の高さおよびＳＩＤを設定して撮影を行う。
【０００６】
一方、術者が検査する前に来室した被検者が本人であることを確実に確認することができるＸ線撮影装置が提案されている。該Ｘ線撮影装置では、被検者の顔写真が記憶装置から読み出され、表示器に表示される。術者は来室した被検者から名前を聞き、表示された顔写真と名前を見て本人であることを確認する。検査前に必ずこの確認をして撮影を行う（特許文献１参照）。
【先行技術文献】
【特許文献】
【０００７】
【特許文献１】特開２００５−２６１８５４号公報
【発明の概要】
【発明が解決しようとする課題】
【０００８】
上述のように立位スタンドで胸部撮影が完了し、引続き腹部撮影を行う場合、術者は立位スタンドのＸ線検出器を下げて被検者の腹部に位置合わせをし、対向するＸ線管の高さもＸ線検出器に合わせて下げるが、Ｘ線条件などの撮影条件の変更を忘れて撮影を行うことがある。また、オーダーされた撮影部位がある場合は、オーダーされた撮影部位の順番を変え、変更後の撮影部位に対応したＸ線検出器の高さ、Ｘ線管の高さおよびＳＩＤを設定するがＸ線条件などの撮影条件の変更を忘れて撮影を行うことがある。上記の場合、間違った撮影条件で撮影が行われ良好な画像が得られず、再撮影が必要となり被検者に余分な被曝を与えることになる。
【課題を解決するための手段】
【０００９】
本発明は、被検者にＸ線を曝射するＸ線管と、前記Ｘ線管を保持するＸ線管保持部と、前記被検者を透過したＸ線を画像化するＸ線検出器と、前記Ｘ線検出器を保持する検出器保持部と、前記各構成要素を制御する制御部で構成されるＸ線撮影装置において、前記各構成要素の位置の変更にともなう撮影条件の変更の有無を検知する検知手段と、前記撮影条件の変更が検知されないとき警告を表示する警告表示手段を備えたものである。しかも、前記各構成要素の位置の変更が、前記検出器保持部に保持される前記Ｘ線検出器の位置の変更、あるいは前記Ｘ線管保持部に保持される前記Ｘ線管の位置の変更、またはＳＩＤの変更である。
【００１０】
また、被検者にＸ線を曝射するＸ線管と、前記Ｘ線管を保持するＸ線管保持部と、前記被検者を透過したＸ線を画像化するＸ線検出器と、前記Ｘ線検出器を保持する検出器保持部と、撮影部位のオーダーを受信する受信手段とを有するＸ線撮影装置において、前記各構成要素の位置と撮影部位の関係を示すデータベースと、撮影部位と撮影条件の関係を示すプログラムと、前記データベースとプログラムを検索し現在の各構成要素の位置と撮影条件が適合していない場合警告を表示する警告表示手段を備えたものである。しかも、前記各構成要素の位置が、前記Ｘ線検出器の位置、あるいは前記Ｘ線管の位置、またはＳＩＤである。したがって術者はＸ線条件などの撮影条件の変更を忘れることはない。
【発明の効果】
【００１１】
撮影部位の変更のためＸ線検出器の位置、あるいはＸ線管の位置、またはＳＩＤを変更後Ｘ線条件などの撮影条件を変更しない場合警告が表示されるため、撮影条件の変更忘れが発生しない。したがって再撮影の必要はなく被検者に余分な被曝を与えることはない。また、診断効率の向上が期待できる。
【図面の簡単な説明】
【００１２】
【図１】本発明の実施例によるＸ線撮影装置の概略構成を示す図である。
【図２】本発明の実施例によるＸ線撮影装置の動作を示すフローチャートである。
【図３】本発明の実施例によるＸ線撮影装置の動作を示すフローチャートである。
【発明を実施するための形態】
【００１３】
本発明の実施例によるＸ線撮影装置は一般撮影用であり、被検者にＸ線を曝射するＸ線管と、該Ｘ線管を水平方向および鉛直方向に移動可能に天井走行式で吊設保持するＸ線管保持部と、被検者を透過したＸ線を画像化するＦＰＤで構成されるＸ線検出器と、該Ｘ線検出器を鉛直方向に移動可能に保持する検出器保持部（立位スタンド）で構成される。
【実施例１】
【００１４】
本発明の実施例１によるＸ線撮影装置について、図１、図２を参照して説明する。図１は、本発明の実施例１によるＸ線撮影装置の概略構成を示す図である。図２は、本発明の実施例１によるＸ線撮影装置の動作を示すフローチャートである。
【００１５】
本発明の実施例１によるＸ線撮影装置は図１に示すとおり、焦点１ａを有し被検者ＭにＸ線を曝射するＸ線管１と、Ｘ線管１を水平方向と鉛直方向に移動可能に保持するＸ線管保持部２と、ＦＰＤで構成されるＸ線検出器５が配設されるブッキー部４を鉛直方向に移動可能に保持する立位スタンド３と、Ｘ線の曝射を制御するＸ線発生装置１５と、前記各構成要素を制御し画像処理や放射線情報システム（ＲＩＳ）から送信される撮影部位のオーダーを受信する制御卓８で構成される。
【００１６】
Ｘ線検出器５の床からの高さＨは、立位スタンド３に配設された図示しない高さセンサ３ｈにより検出される。ポテンショメータで構成される高さセンサ３ｈの出力は抵抗値として制御部１１に入力し高さＨに換算される。Ｘ線管１の床からの高さＨは、Ｘ線管保持部２に配設された図示しない高さセンサ２ｈにより検出される。ポテンショメータで構成される高さセンサ２ｈの出力は抵抗値として制御部１１に入力し高さＨに換算される。焦点１ａとＸ線検出器５との距離Ｌ（ＳＩＤ）は、Ｘ線管保持部２に配設された図示しない距離センサ２ｌにより検出される。ポテンショメータで構成される距離センサ２ｌの出力は抵抗値として制御部１１に入力しＳＩＤに換算される。
【００１７】
Ｘ線発生装置１５は、Ｘ線制御器１６と、高電圧装置１７で構成される。制御卓８は、画像処理部９と、条件保存部１２と、表示部１３と、操作盤１０と、制御部１１で構成され、各構成要素は以下に述べる機能を有する。
【００１８】
Ｘ線制御器１６は、制御部１１の指令に従い、条件保存部１２に保存されているＸ線条件にもとづいて高電圧装置１７を介してＸ線管１を制御する。被検者Ｍを透過したＸ線は、Ｘ線検出器５に入射し電気信号に変換され画像処理部９に入力し画像化され表示部１３に表示される。
【００１９】
制御部１１は、各構成要素を制御するとともに、撮影部位とＳＩＤおよび被検者Ｍの身長別のＸ線検出器５とＸ線管１の高さＨの関係を示すデータベースと、撮影部位と撮影条件の関係を示すプログラムを保存する。
【００２０】
本発明の実施例１によるＸ線撮影装置について、撮影のための操作、動作などを図２を参照して説明する。ステップ（以下操作順の番号の前に「Ｓ」の符号を付す）１において、術者が被検者Ｍを例えば胸部撮影のために立位スタンド３に載置し、Ｘ線検出器５とＸ線管１の高さＨおよびＳＩＤを胸部撮影に適した位置に設定し、操作盤１０より胸部撮影に適したＸ線条件を入力する。Ｓ２において、胸部撮影を実行する。
【００２１】
Ｓ３において、次に例えば腹部撮影をするために、術者はＸ線検出器５あるいはＸ線管１の高さＨまたはＳＩＤを腹部撮影に適した位置に設定する。Ｓ４において、制御部１１は、高さセンサ３ｈ、２ｈあるいは距離センサ２ｌの入力信号ならびに保存しているデータベースより、Ｘ線検出器５あるいはＸ線管１の高さＨまたはＳＩＤが腹部撮影用に変更されたことを検知する。制御部１１は保存しているデータベースとプログラムを検索し全ての撮影条件が腹部撮影用に設定済か検討し、設定済の場合Ｓ５へ進み、未設定の撮影条件がある場合Ｓ６へ進む。
【００２２】
Ｓ５において、腹部撮影の実行をする。Ｓ６において、制御部１１は腹部撮影用に設定されていない撮影条件を表示部１３にリストアップし、警告表示する。Ｓ７において、術者は腹部撮影用に設定されていない撮影条件を腹部撮影用に変更しＳ４へ戻る。
【実施例２】
【００２３】
本発明の実施例２によるＸ線撮影装置について、図１、図３を参照して説明する。図１は、本発明の実施例２によるＸ線撮影装置の概略構成を示す図である。図３は、本発明の実施例２によるＸ線撮影装置の動作を示すフローチャートである。図１については、実施例１の項で詳しく説明したのでこの項では説明を省略する。
【００２４】
本発明の実施例２によるＸ線撮影装置について、撮影のための操作、動作などを図３を参照して説明する。ステップ（以下操作順の番号の前に「Ｓ」の符号を付す）１において、制御部１１は撮影部位のオーダーを受信し保存する。Ｓ２において、術者が被検者Ｍを立位スタンド３に載置する。Ｓ３において、術者はＸ線検出器５とＸ線管１の高さＨおよびＳＩＤを目的の撮影部位に適合した位置に設定し、操作盤１０より該撮影部位に適合したＸ線条件を入力する。
【００２５】
Ｓ４において、制御部１１は、現在設定されているＸ線検出器５とＸ線管１の高さＨおよびＳＩＤを、高さセンサ３ｈ、２ｈおよび距離センサ２ｌからの入力信号で確認する。保存しているデータベース（撮影部位と、該部位の撮影に適したＸ線検出器５とＸ線管１の高さＨおよびＳＩＤの関係を示す）を参照して、前記確認された高さＨおよびＳＩＤが今回撮影する撮影部位の撮影に適しているかチェックする。適している場合はＳ５に進み、適していない場合はＳ８に進む。Ｓ５において、今回の撮影部位の撮影を実行する。Ｓ６において、オーダーされた撮影部位全てが撮影済の場合は終了し、未撮影の撮影部位がある場合はＳ７へ進む。Ｓ７において、次の撮影部位の撮影の準備をし、Ｓ３へ戻る。
【００２６】
Ｓ８において、オーダーされた撮影部位の順番を変更する場合はＳ１１に進み、変更しない場合はＳ９に進む。Ｓ９において、制御部１１はオーダーされ今回撮影する撮影部位用に設定されていない撮影条件を表示部１３にリストアップし、警告表示する。Ｓ１０において、術者はＳ９でリストアップされた撮影条件を修正し、Ｓ４へ戻る。Ｓ１１において、術者は制御部１１に保存されているオーダーされた撮影部位の順番を変更し、Ｓ４へ戻る。
【００２７】
本発明は以上の構成であるから、撮影部位の変更のためＸ線検出器５とＸ線管１の高さＨ、およびＳＩＤを変更後Ｘ線条件などの撮影条件を変更しない場合警告が表示されるため、撮影条件の変更忘れが発生しない。また、オーダーされた撮影部位を撮影する場合、撮影条件の設定ミスが防止され、さらにオーダーされた撮影部位の順番を変更する場合撮影条件の変更忘れが防止される。したがって再撮影の必要はなく被検者Ｍに余分な被曝を与えることはない。また、診断効率の向上が期待できる。
【００２８】
図に示す実施例においては、立位スタンド３に被検者Ｍを載置して撮影しているが、代わりに臥位撮影台（天板を備えた寝台）において、水平方向に移動するＸ線管とＸ線検出器および天板の移動量を検出するセンサとＳＩＤを検出するセンサを備えた構成でも同様の機能を有し本発明に含まれる。また、図２においては、撮影部位が胸部撮影の後腹部撮影を実行しているが、これは一例でありこの例に限定されることはない。上述のとおり本発明は図示例に限定されるものではなく種々の変形例を包含する。
【産業上の利用可能性】
【００２９】
本発明は、Ｘ線撮影装置に関し、特に不適切な撮影条件でＸ線撮影することを防止する技術に利用の可能性がある。
【符号の説明】
【００３０】
１  Ｘ線管
１ａ  焦点
２  Ｘ線管保持部
２ｈ  高さセンサ
２ｌ  距離センサ
３  立位スタンド
３ｈ  高さセンサ
４  ブッキー部
５  Ｘ線検出器
８  制御卓
９  画像処理部
１０  操作盤
１１  制御部
１２  条件保存部
１３  表示部
１５  Ｘ線発生装置
１６  Ｘ線制御器
１７  高電圧装置
Ｍ  被検者
【図１】
2011004830.tif 000003
【図２】
2011004830.tif 000004
【図３】
2011004830.tif 000005